(57)【要約】      （修正有）【課題】冷感性能と吸収性能とを両立可能である吸収性物品、及び吸収性物品の包装体を提供する。【解決手段】吸収性物品１は、肌面シートを含み、かつカバーシート５０よりも肌面側Ｔ１に配置されている部材により構成される肌面側部材１０と、吸収コア３０を含み、かつ厚さ方向Ｔにおいてカバーシート５０とバックシート２０との間に配置されている部材により構成される中間部材４０と、を有する。吸収性物品１の平面視において、肌面側部材１０に覆われると共にカバーシート５０が存在しない領域であって、かつ幅方向Ｗにおいてカバーシート５０に挟まれている非存在領域ＮＲが設けられている。非存在領域ＮＲにおいて、肌面側部材１０の少なくとも一部は、中間部材４０と接合されると共に非肌面側Ｔ２へ凹んでいる。【選択図】図４
0003223352.tif 000002
【実用新案登録請求の範囲】
【請求項１】
冷感剤を有する吸収性物品であって、
前後方向と、前記前後方向に直交する幅方向と、厚さ方向と、
吸収コアと、
使用者の肌に当接する当接面を有する肌面シートと、
前記厚さ方向において前記肌面シートと前記吸収コアとの間に配置されるカバーシートと、
前記吸収コアよりも非肌面側に配置されるバックシートと、
前記バックシートの非肌面上に設けられる粘着部と、を有し、
前記肌面シートを含み、かつ前記カバーシートよりも肌面側に配置されている部材により構成される肌面側部材と、
前記吸収コアを含み、かつ前記厚さ方向において前記カバーシートと前記バックシートとの間に配置されている部材により構成される中間部材と、を有し、
前記吸収性物品の平面視において、前記肌面側部材に覆われると共に前記カバーシートが存在しない領域であって、かつ前記幅方向において前記カバーシートに挟まれている非存在領域が設けられており、
前記非存在領域において、前記肌面側部材の少なくとも一部は、前記中間部材と接合されると共に非肌面側へ凹んでいる、吸収性物品。
【請求項２】
前記非存在領域において、少なくとも前記肌面側部材と前記中間部材とが前記厚さ方向に肌面側から圧搾された圧搾部を有し、
前記圧搾部によって前記肌面側部材と前記中間部材とが接合されている、請求項１に記載の吸収性物品。
【請求項３】
少なくとも前記吸収コアが前記厚さ方向に圧搾された圧搾部を有し、
前記圧搾部は、前記非存在領域と異なる領域に配置されている請求項１に記載の吸収性物品。
【請求項４】
前記カバーシートの構成は、前記吸収コアの構成と異なる請求項１から３のいずれか１項に記載の吸収性物品。
【請求項５】
前記吸収性物品の肌面側からの平面視において、前記非存在領域の色が、前記カバーシートが存在する領域の色と異なる請求項１から４のいずれかに記載の吸収性物品。
【請求項６】
着用物品の前記非肌面側に折り返される一対のウイングを有し、
前記非存在領域は、前記前後方向において前記ウイングの前端縁から前記ウイングの後端縁までの領域である中央域に設けられており、
前記非存在領域は、前記カバーシートを前記厚さ方向に貫通する楕円形状の開口により構成されている請求項１から５のいずれか１項に記載の吸収性物品。
【請求項７】
着用物品の前記非肌面側に折り返される一対のウイングを有し、
前記非存在領域は、前記前後方向において前記ウイングの前端縁から前記ウイングの後端縁までの領域である中央域よりも、前記前後方向の外側に設けられており、
前記非存在領域は、
前記非存在領域の前記前後方向の中心よりも外側に位置する外側領域と、
前記中心よりも内側に位置する内側領域を有し、
前記外側領域の面積は、前記内側領域の面積よりも広い請求項１から６のいずれか１項に記載の吸収性物品。
【請求項８】
着用物品の肌面側に配置される本体部と、
前記着用物品の前記非肌面側に折り返される一対のウイングを有し、
前記一対のウイングが前記本体部の肌面側に折り返されている状態において、前記ウイングは、前記非存在領域における前記肌面シートと接触していない部分を有する、請求項１から７のいずれか１項に記載の吸収性物品。
【請求項９】
前記一対のウイングの非肌面側に設けられているウイング粘着部を覆う剥離シートが設けられており、
前記剥離シートは、前記一対のウイングの間を覆っている請求項８に記載の吸収性物品。
【請求項１０】
前記肌面側部材は、前記厚さ方向に隣接するシートどうしが互いに接合されている複数のシートにより構成されている請求項１から８のいずれか１項に記載の吸収性物品。
【請求項１１】
請求項１から１０のいずれかに記載の吸収性物品と、前記吸収性物品を個別に包装する包装シートと、を有する吸収性物品の包装体であって、
前記吸収性物品が前記包装シートに包装されている包装状態において、前記吸収性物品と前記包装シートは、前記幅方向に延びる折り目を基点に折り返されており、
前記吸収性物品が展開された状態において、前記非存在領域は、前記折り目と異なる位置に設けられている吸収性物品の包装体。
【請求項１２】
請求項１から１１のいずれかに記載の吸収性物品と、前記吸収性物品を個別に包装する包装シートと、を有する吸収性物品の包装体であって、
前記包装シートは、フィルムであり、
前記吸収性物品が前記包装シートに個別に包装されている包装状態において、前記包装シートの両側端部には、前記包装シートどうしを接合する第１接合部が設けられており、
前記包装状態において、前記包装シートを開封するための前記幅方向に延びる開封部には、前記包装シートどうしを接合する第２接合が設けられている吸収性物品の包装体。
【考案の詳細な説明】
【技術分野】
【０００１】
本考案は、吸収性物品、及び吸収性物品の包装体に関する。
【背景技術】
【０００２】
特許文献１には、冷感剤を有する吸収性物品が開示されている。特許文献１の吸収性物品では、カバーシート（具体的には、本体吸収性シート）にスリット部が設けられることで、吸収性物品の平面視において、カバーシートが存在しない領域であって、幅方向においてカバーシートに挟まれている非存在領域が設けられている（特許文献１の図２参照）。非存在領域は、カバーシートよりも肌面側に配置されている肌面側部材（具体的には、表面層及び液拡散層）に覆われている。これにより、非存在領域では、肌面側部材に覆われた空間を形成することができる。使用者の動きによって吸収性物品が変形することで、非存在領域内の空間内の空気が押し出されて、冷感剤が使用者の肌に付着し易くできる。
【先行技術文献】
【特許文献】
【０００３】
【特許文献１】特開２０１９−８４１４１号公報
【考案の概要】
【０００４】
特許文献１の吸収性物品では、非存在領域において肌面側部材が肌面側へ浮き上がり易くなり、体液が吸収コアまでたどり着き難くなっていた。このため、体液が伝い漏れしてしまい、吸収性能が悪化する虞があった。特に、非存在領域が大きくなるほど、体液が伝い漏れし易くなり、吸収性能が悪化する虞があった。
【０００５】
そこで、冷感性能と吸収性能とを両立可能である吸収性物品、及び吸収性物品の包装体を提供することを目的とする。
【０００６】
一態様に係る吸収性物品は、冷感剤を有する。前記吸収性物品は、前後方向と、前記前後方向に直交する幅方向と、厚さ方向と、吸収コアと、使用者の肌に当接する当接面を有する肌面シートと、前記厚さ方向において前記肌面シートと前記吸収コアとの間に配置されるカバーシートと、前記吸収コアよりも非肌面側に配置されるバックシートと、前記バックシートの非肌面上に設けられる粘着部と、を有する。前記吸収性物品は、前記肌面シートを含み、かつ前記カバーシートよりも肌面側に配置されている部材により構成される肌面側部材と、前記吸収コアを含み、かつ前記厚さ方向において前記カバーシートと前記バックシートとの間に配置されている部材により構成される中間部材と、を有する。前記吸収性物品の平面視において、前記肌面側部材に覆われると共に前記カバーシートが存在しない領域であって、かつ前記幅方向において前記カバーシートに挟まれている非存在領域が設けられている。前記非存在領域において、前記肌面側部材の少なくとも一部は、前記中間部材と接合されると共に非肌面側へ凹んでいる。
【０００７】
一態様に係る吸収性物品の包装体は、上述の吸収性物品と、前記吸収性物品を個別に包装する包装シートと、を有する。前記吸収性物品が前記包装シートに包装されている包装状態において、前記吸収性物品と前記包装シートは、前記幅方向に延びる折り目を基点に折り返されている。前記吸収性物品が展開された状態において、前記非存在領域は、前記折り目と異なる位置に設けられている。
【０００８】
一態様に係る吸収性物品の包装体は、上述の吸収性物品と、前記吸収性物品を個別に包装する包装シートと、を有する。前記包装シートは、フィルムである。前記吸収性物品が前記包装シートに個別に包装されている包装状態において、前記包装シートの両側端部には、前記包装シートどうしを接合する第１接合部が設けられてよい。前記包装状態において、前記包装シートを開封するための前記幅方向に延びる開封部には、前記包装シートどうしを接合する第２接合が設けられている。
【図面の簡単な説明】
【０００９】
【図１】図１は、一実施形態に係る吸収性物品を肌面側から見た模式平面図である。
【図２】図２は、一実施形態に係る吸収性物品を非肌面側から見た模式平面図である。
【図３】図３は、図１のＡ−Ａ断面に沿った模式断面図である。
【図４】図４は、図１のＡ−Ａ断面に沿った模式断面図の一部拡大図である。
【図５】図５は、変更例１に係る吸収性物品１を肌面側から見た模式平面図である。
【図６】図６は、吸収性物品の包装体の模式平面図である。
【図７】図７は、変更例２に係る吸収性物品１を肌面側から見た模式平面図である。
【図８】図８は、図７のＢ−Ｂ断面に沿った模式断面図である。
【図９】図９は、変更例３に係る吸収性物品１の模式断面図の一部拡大図である。
【考案を実施するための形態】
【００１０】
（１）実施形態の概要
本明細書及び添付図面の記載により、少なくとも以下の事項が明らかとなる。
【００１１】
一態様に係る吸収性物品は、冷感剤を有する。前記吸収性物品は、前後方向と、前記前後方向に直交する幅方向と、厚さ方向と、吸収コアと、使用者の肌に当接する当接面を有する肌面シートと、前記厚さ方向において前記肌面シートと前記吸収コアとの間に配置されるカバーシートと、前記吸収コアよりも非肌面側に配置されるバックシートと、前記バックシートの非肌面上に設けられる粘着部と、を有する。前記吸収性物品は、前記肌面シートを含み、かつ前記カバーシートよりも肌面側に配置されている部材により構成される肌面側部材と、前記吸収コアを含み、かつ前記厚さ方向において前記カバーシートと前記バックシートとの間に配置されている部材により構成される中間部材と、を有する。前記吸収性物品の平面視において、前記肌面側部材に覆われると共に前記カバーシートが存在しない領域であって、かつ前記幅方向において前記カバーシートに挟まれている非存在領域が設けられている。前記非存在領域において、前記肌面側部材の少なくとも一部は、前記中間部材と接合されると共に非肌面側へ凹んでいる。
【００１２】
これにより、非存在領域では、肌面側部材がカバーシートよりも非肌面側に配置されている部材に接合されるため、肌面側部材が肌面側へ浮き上がらなくなる。加えて、非存在領域において、肌面側部材が非肌面側へ凹んでいる部分に体液が溜まり易くなるため、体液の伝い漏れを抑制することができる。
【００１３】
加えて、非存在領域では、肌面側部材が非肌面側へ凹むことによって、肌面側部材が使用者の肌に直接当たり難くなるため、冷感剤による冷感効果を和らげることができる。一方で、非存在領域以外の領域では、肌面側部材が使用者の肌に直接当たり易くなり、冷感剤による冷感効果を強めることができる。また、非存在領域とカバーシートとの境界付近では、カバーシートの厚みによって、肌面側部材と、中間部材との間に空間が設けられ易い。使用者の動きによって吸収性物品が変形する際に、空間内の空気が押し出されて、冷感剤が使用者の肌に付着し易くできる。従って、冷感効果を場所によって調節することができる。以上により、本態様の吸収性物品によれば、冷感性能と吸収性能とを両立することができる。  
【００１４】
好ましい一態様によれば、前記非存在領域において、少なくとも前記肌面側部材と前記中間部材とが前記厚さ方向に肌面側から圧搾された圧搾部を有してよい。前記圧搾部によって前記肌面側部材と前記中間部材とが接合されてよい。これにより、肌面側部材と中間部材とが肌面側から圧搾されているため、圧搾部では、他の部分よりも、肌面側部材が非肌面側へ凹み易くでき、非存在領域ＮＲにおいて体液をさらに溜まり易くすることができる。加えて、圧搾部は、他の部分と比べて剛性が高いため、吸収性物品を着用している使用者が動いたとしても変形し難くなり、肌面側部材が非肌面側への凹みを維持し続け易くできる。
【００１５】
好ましい一態様によれば、前記カバーシートの構成は、前記吸収コアの構成と異なってよい。これにより、カバーシートの構成と吸収コアの構成とが異なることにより、液移行性を異ならせることができる。カバーシートの方が、吸収コアよりも液移行性が低い場合には、非存在領域において体液を吸収コアへと移行し易くできる。一方で、カバーシートの方が、吸収コアよりも液移行性が高い場合には、非存在領域からカバーシートを経由して体液を吸収コアへと移行し易くできる。
【００１６】
好ましい一態様によれば、前記吸収性物品は、少なくとも前記吸収コアが前記厚さ方向に圧搾された圧搾部を有してよい。前記圧搾部は、前記非存在領域と異なる領域に配置されてよい。圧搾部では、剛性が高いため、圧搾部を基点として、吸収コアが折れ曲がり易くなる。これにより、非存在領域以外の領域で、吸収コアが折れ曲がり易くなることで、非存在領域において肌面側部材が使用者の肌に直接当たり難くなるため、冷感剤による冷感効果を和らげることができる。
【００１７】
前記吸収性物品の肌面側からの平面視において、前記非存在領域の色が、前記カバーシートが存在する領域の色と異なってよい。これにより、使用者が、冷感効果が強い部分と冷感効果が弱い部分とを視覚的に認識し易くできる。
【００１８】
好ましい一態様によれば、前記吸収性物品は、着用物品の前記非肌面側に折り返される一対のウイングを有してよい。前記非存在領域は、前記前後方向において前記ウイングの前端縁から前記ウイングの後端縁までの領域である中央域に設けられてよい。前記非存在領域は、前記カバーシートを前記厚さ方向に貫通する楕円形状の開口により構成されてよい。中央域は、一般的に、刺激に敏感な排泄口に対向する部分である。非存在領域は、凹んでいるため、肌面側部材が排泄口に当たり難くすることができる。加えて、非存在領域には、カバーシートが存在しないため、カバーシートが存在する部分よりも剛性が低い。ここで、非存在領域は、楕円形状であるため、非存在領域の中心から非存在領域の外周までの距離を所定距離以上確保することができる。従って、非存在領域が直線状である場合と比べると、使用者の動きによって吸収性物品が変形しても、肌面側部材が肌面側に向かって鋭角な凸形状になり難い。これにより、肌面側部材が排泄口にさらに当たり難くすることができ、刺激に敏感な排泄口に、冷感剤による刺激を与え難くすることができる。
【００１９】
好ましい一態様によれば、前記吸収性物品は、着用物品の前記非肌面側に折り返される一対のウイングを有してよい。前記非存在領域は、前記前後方向において前記ウイングの前端縁から前記ウイングの後端縁までの領域である中央域よりも、前記前後方向の外側に設けられてよい。前記非存在領域は、前記非存在領域の前記前後方向の中心よりも外側に位置する外側領域と、前記中心よりも内側に位置する内側領域を有してよい。前記外側領域の面積は、前記内側領域の面積よりも広くてよい。これにより、前後方向の外側の方では、前後方向の内側と比較して、肌面側部材が非肌面側へ凹んでいる面積を大きくすることができる。これにより、寝姿勢時（具体的には、仰臥位の腹側（又は背臥位の背側））において、お腹（又は背中）に近くなるほど、非存在領域の肌面側部材が使用者の肌に直接当たり難くすることができ、長時間同じ姿勢になりがちな寝姿勢の際に、冷感剤による冷感効果を緩和することができる。
【００２０】
好ましい一態様によれば、前記吸収性物品は、着用物品の肌面側に配置される本体部と、前記着用物品の前記非肌面側に折り返される一対のウイングを有してよい。前記一対のウイングが前記本体部の肌面側に折り返されている状態において、前記ウイングは、前記非存在領域における前記肌面シートと接触していない部分を有してよい。ウイングは、着用物品の非肌面側に折り返されるため、ウイングに冷感剤が存在しても、使用者は冷感効果を得にくい。従って、肌面シートに存在する冷感剤がウイングに直接移動し難くすることで、使用者が冷感効果を感じ易い肌面シートに冷感剤を存在し易くできる。
【００２１】
好ましい一態様によれば、前記一対のウイングの非肌面側に設けられているウイング粘着部を覆う剥離シートが設けられてよい。前記剥離シートは、前記一対のウイングの間を覆ってよい。これにより、使用前に、冷感剤が一対のウイングの間を通じて外部へ逃げ難くすることができる。
【００２２】
好ましい一態様によれば、前記肌面側部材は、前記厚さ方向に隣接するシートどうしが互いに接合されている複数のシートにより構成されてよい。これにより、複数のシート内に冷感剤を保持可能であるため、肌面側部材が単一のシートにより構成される場合と比較して、冷感効果が得られる時間が長くなり易くなる。
【００２３】
一態様に係る吸収性物品の包装体は、上述の吸収性物品と、前記吸収性物品を個別に包装する包装シートと、を有する。前記吸収性物品が前記包装シートに包装されている包装状態において、前記吸収性物品と前記包装シートは、前記幅方向に延びる折り目を基点に折り返されている。前記吸収性物品が展開された状態において、前記非存在領域は、前記折り目と異なる位置に設けられている。非存在領域が折り目と同じ位置に設けられている場合、折り目に起因して非存在領域における肌面側部材に皺が形成される。これにより、中間部材から肌面側部材が剥がれ易くなる。一方で、非存在領域が、折り目と異なる位置に設けられることで、肌面側部材が剥がれることを抑制でき、非存在領域では、肌面側部材が非肌面側へ凹むことを維持することができる。
【００２４】
一態様に係る吸収性物品の包装体は、上述の吸収性物品と、前記吸収性物品を個別に包装する包装シートと、を有する。前記包装シートは、フィルムである。前記吸収性物品が前記包装シートに個別に包装されている包装状態において、前記包装シートの両側端部には、前記包装シートどうしを接合する第１接合部が設けられてよい。前記包装状態において、前記包装シートを開封するための前記幅方向に延びる開封部には、前記包装シートどうしを接合する第２接合が設けられている。これにより、吸収性物品の開封前に、冷感剤が包装シートの外部へ漏れ難くすることができる。
【００２５】
（２）吸収性物品の概略構成
以下、図面を参照して、実施形態に係る吸収性物品ついて説明する。吸収性物品は、生理用ナプキン、パンティライナー、大人用失禁パッド又は尿取りパッドのような吸収性物品であってよい。以下の実施形態では、吸収性物品の一例として使い捨ての生理用ナプキンについて説明する。
【００２６】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００２７】
図１は、一実施形態に係る吸収性物品を肌面側から見た模式平面図である。図２は、一実施形態に係る吸収性物品を非肌面側から見た模式平面図である。図３は、図１のＡ−Ａ断面に沿った模式断面図である。図４は、図１のＡ−Ａ断面に沿った模式断面図の一部拡大図である。図４では、説明の便宜上、後述する圧搾部の図示が省略されている。なお、模式断面図において、説明の便宜上、各部材が厚さ方向Ｔにおいて離間していることがあるが、実際の製品においては厚さ方向Ｔに接している。
【００２８】
吸収性物品１は、前後方向Ｌと幅方向Ｗと厚さ方向Ｔとを有する。前後方向Ｌは、使用者の前側（腹側）から後側（背側）に延びる方向、又は使用者の後側から前側に延びる方向である。幅方向Ｗは、前後方向Ｌと直交する方向である。厚さ方向Ｔは、使用者の肌面側から非肌面側へ延びる方向（Ｔ２）、又は使用者の非肌面側から肌面側へ延びる方向（Ｔ１）である。また、厚さ方向Ｔは、前後方向Ｌ及び幅方向Ｗに直交する方向である。肌面側は、使用時に、使用者の肌に面する側に相当する。非肌面側は、使用時に、肌面側とは反対側、すなわち使用者の肌とは反対に向けられる側に相当する。
【００２９】
図１に示すように、吸収性物品１は、中央域Ｓ３、前側域Ｓ１及び後側域Ｓ２を有してよい。中央域Ｓ３は、使用者の排泄口（例えば膣口）に当接する排泄口当接部を有する領域である。吸収性物品が着用物品（例えば、下着）に装着されたときに、中央域Ｓ３は、着用物品の股下部に位置する。つまり、中央域Ｓ３は、使用者の股下、すなわち使用者の両足の間に配置される領域である。前側域Ｓ１は、中央域Ｓ３よりも前後方向Ｌの前側に位置する。後側域Ｓ２は、中央域Ｓ３よりも前後方向Ｌの後側に位置する。
【００３０】
吸収性物品１が、後述するウイング３を有する場合、ウイング３の前端縁３Ｆが前側域Ｓ１と中央域Ｓ３との境界を規定し、ウイング３の後端縁３Ｒが後側域Ｓ２と中央域Ｓ３との境界を規定する。従って、中央域Ｓ３は、前後方向Ｌにおけるウイング３の前端縁３Ｆからウイング３の後端縁３Ｒまでの領域である。なお、ウイング３の前端縁３Ｆは、ウイング３の付け根によって規定されており、最も幅方向Ｗの内側に窪んだ２つの部分のうち、前側に位置する部分に相当する。ウイング３の後端縁３Ｒは、ウイング３の付け根によって規定されており、最も幅方向Ｗの内側に窪んだ２つの部分のうち、後側に位置する部分に相当する。なお、吸収性物品１がウイング３を有さない場合には、吸収性物品１を前後方向Ｌに３等分することにより、前側域Ｓ１、後側域Ｓ２、中央域Ｓ３を規定できる。
【００３１】
図１から図４に示すように、吸収性物品１は、本体部２と一対のウイング３とを有する。本体部２は、着用物品の肌面側Ｔ１に配置される部分である。本体部２は、吸収性物品１のうちウイング３を除いた部分であり、縦長の形状である。本体部２は、前側域Ｓ１から後側域Ｓ２まで延びている。一対のウイング３は、着用物品の非肌面側Ｔ２に折り返される。ウイング３は、本体部２よりも幅方向Ｗの外側に延出する。ウイング３は、中央域Ｓ３において、本体部２の幅方向Ｗの両側に一対で設けられている。
【００３２】
図１から図４に示すように、吸収性物品１は、肌面シート１１、セカンドシート１２、バックシート２０、吸収コア３０、カバーシート５０、サードシート６０、粘着部７０、及び冷感剤１００を有してよい。また、吸収性物品１は、肌面側部材１０と中間部材４０とを有する。肌面側部材１０は、肌面シート１１を含み、かつカバーシート５０よりも肌面側Ｔ１に配置されている部材により構成される。本実施形態では、肌面側部材１０は、肌面シート１１とセカンドシート１２とにより構成される。中間部材４０は、吸収コア３０を含み、かつカバーシート５０とバックシート２０との間に配置されている部材により構成される。本実施形態では、中間部材４０は、サードシート６０と吸収コア３０とにより構成される。
【００３３】
肌面シート１１は、使用者の肌に当接する当接面を有する。肌面シート１１は、吸収コア３０よりも肌面側Ｔ１に配置されてよい。肌面シート１１は、例えば不織布によって構成されてよい。肌面シート１１は、吸収コア３０の幅方向Ｗの中央を覆うセンターシート１１Ａと、センターシート１１Ａよりも肌面側Ｔ１においてセンターシート１１Ａの外側部を覆う一対のサイドシート１１Ｂと、を有してよい。センターシート１１Ａは、液透過性を有する。サイドシート１１Ｂは、疎水性又は撥水性を有してよい。
【００３４】
セカンドシート１２は、厚さ方向Ｔにおいて吸収コア３０と肌面シート１１との間に配置されている。本実施形態では、セカンドシート１２は、カバーシート５０よりも肌面側Ｔ１に配置されている。セカンドシート１２は、液透過性を有する。セカンドシート１２は、肌面シート１１（特に、センターシート１１Ａ）と同様の材料から構成できる。
【００３５】
バックシート２０は、吸収コア３０よりも非肌面側Ｔ２に配置される。バックシート２０は、液不透過性を有する。バックシート２０は、例えば、ポリエチレンシート、ポリプロピレン等を主体としたラミネート不織布、通気性の樹脂フィルムなどの少なくともいずれかによって構成されてよい。
【００３６】
吸収コア３０は、液体を吸収する吸収材料を含む。吸収コアは、少なくとも中央域Ｓ３に配置されている。吸収コア３０は、例えば粉砕パルプもしくは高吸収性ポリマー（ＳＡＰ）、又はこれらの混合物を含んでよい。
【００３７】
カバーシート５０は、厚さ方向Ｔにおいて肌面シート１１と吸収コア３０との間に配置される。本実施形態では、カバーシート５０は、セカンドシート１２とサードシート６０との間に配置されている。
【００３８】
カバーシート５０の構成は、吸収コア３０の構成と異なってよい。カバーシート５０と吸収コア３０とで、例えば、原材料、構造、製造方法の少なくともいずれかが異なることにより、カバーシート５０の構成は、吸収コア３０の構成と異なってよい。例えば、カバーシート５０がエアレイドパルプシートにより構成されており、吸収コア３０が粉砕パルプの積層により構成されていることにより、カバーシート５０の構成は、吸収コア３０の構成と異なってよい。カバーシート５０の構成と吸収コア３０の構成とが異なることで、液移行性を異ならせることができる。
【００３９】
図３に示すように、カバーシート５０は、カバーシート５０を厚さ方向Ｔに貫通する開口５５を有してよい。これにより、吸収性物品１に後述する非存在領域ＮＲが設けられてよい。吸収性物品１の平面視において、開口５５は、前後方向Ｌに延びる楕円形状であってよいし（図１参照）、幅方向Ｗに延びる楕円形状であってよい。
【００４０】
粘着部７０は、バックシート２０の非肌面上に設けられる。粘着部７０は、着用物品に吸収性物品１を固定するためのものであり、粘着剤により構成されてよい。図２及び図３に示すように、粘着部７０は、本体部２の非肌面側に設けられる本体粘着部７１と、ウイング３の非肌面側に設けられるウイング粘着部７２とを有してよい。
【００４１】
冷感剤１００は、例えば、皮膚の神経にある受容体活性化チャネル（ＴＲＰＭ８）に作用するものであってよい。このような冷感剤として、例えば、メントール（例えば、ｌ−メントール）及びその誘導体（例えば、乳酸メンチル）、サリチル酸メチル、カンファー、キュウリエキス、植物（例えば、ミント、ユーカリ、ナツメグ）由来の精油等が挙げられる。また、冷感剤は、気化熱により周囲の温度を下げるものであってもよい。このような冷感剤として、例えば、アルコール、例えば、メタノール及びエタノールが挙げられる。使用者に冷感効果を長時間持続的に感じさせ易くするために、冷感剤は、溶媒中に含まれてよいし、シクロデキストリンのような保持剤内に含まれてよい。
【００４２】
吸収性物品１を構成する部材の少なくともいずれかに冷感剤１００を配置することで、吸収性物品１が冷感剤１００を有することができる。冷感剤１００を塗布することによって、冷感剤１００を配置することができる。例えば、冷感剤１００は、図３に示すように、厚さ方向Ｔにおいて、肌面シート１１とセカンドシート１２の間に配置されてよい。この場合、冷感剤１００は、肌面シート１１（センターシート１１Ａ）の非肌面に塗布されていてもよいし、セカンドシート１２の肌面に塗布されていてもよい。冷感剤１００は、吸収性物品１内を移動することが可能であってよい。従って、冷感剤１００は、センターシート１１Ａとセカンドシート１２だけでなく、センターシート１１Ａとセカンドシート１２以外の部材に存在してもよい。なお、冷感剤１００は、図３に示すような層のように、肉眼で視認できなくてもよい。
【００４３】
吸収性物品１の平面視において、冷感剤１００は、少なくとも本体部２に配置されており、前側域Ｓ１、後側域Ｓ２、中央域Ｓ３の少なくともいずれかに配置されている。冷感剤１００は、前後方向Ｌにおいて、前側域Ｓ１から後側域Ｓ２まで連続的に配置されていてもよい。冷感剤１００は、本体部２を幅方向Ｗに３等分した場合の中央部に配置されてもよいし、本体部２の幅方向Ｗの中央よりも外側の外側部に配置されてもよい。冷感剤１００は、吸収コア３０と厚さ方向Ｔに重なる領域に配置されていてもよい。冷感剤１００は、吸収性物品１の平面視において、少なくとも前後方向Ｌにおいてカバーシート５０が存在する存在領域ＥＲと非存在領域ＮＲとを跨がるように配置することができる。冷感剤１００は、幅方向Ｗにおいて存在領域ＥＲと非存在領域ＮＲとを跨がるように配置されていてもよい。なお、冷感剤１００は、吸収性物品１内を移動することによって、冷感剤１００が直接配置（塗布）された位置から離れた位置に存在してもよい。
【００４４】
吸収性物品１が冷感剤１００を有しているか否かについて、例えば、以下のいずれかの方法により判定することができる。
【００４５】
第１の方法として、冷感剤が冷感効果を発揮可能な条件下で、吸収性物品１を実際に肌に当てられた人（被験者）が冷たいと感じた場合に、吸収性物品１が冷感剤１００を有すると判定することができる。具体的には、被験者の上腕の内側の肌にセンターシート１１Ａの肌面側Ｔ１が当たるようにして、吸収性物品１を被験者に固定する。吸収性物品１の固定から所定時間（１時間〜２時間程度）が経過する前に、被験者が冷たいと感じた場合、吸収性物品１が冷感剤１００を有すると判定することができる。また、例えば、冷感剤１００が水分（排泄物）と反応することで、冷感効果を発揮する場合には、吸収性物品１を水で濡らした後に、吸収性物品１を被験者に固定して、吸収性物品１が冷感剤１００を有しているか否かを判定することができる。なお、吸収性物品１を収容するパッケージに記載の情報（例えば、冷感剤１００が冷感効果を発揮する条件）を参照して、吸収性物品１が冷感剤を有するか否かを判定してもよい。
【００４６】
第２の方法では、まず、吸収性物品１を適切な容量（例えば、５０ｍｌ）の容器（例えば、ヘッドスペースバイアル）に入れて、当該容器を密閉する。次に、所定時間（例えば、２４時間）経過した後に、ＳＰＭＥ（Ｓｏｌｉｄ  Ｐｈａｓｅ  Ｍｉｃｒｏ  Ｅｘｔｒａｃｔｉｏｎ）法により、ガスクロマトグラフ装置（ＧＣ−ＭＳ）を用いて、容器中の成分を測定する。測定により得られたピーク値に対応する化合物を吸収性物品１に含まれていた成分として特定する。特定された成分が、冷感効果を有する化合物（例えば、上述した化合物）である場合、吸収性物品１が冷感剤を有すると判定することができる。なお、吸収性物品１を収容するパッケージに記載の情報（例えば、冷感剤１００を構成する化合物）を参照して、吸収性物品１が冷感剤を有するか否かを判定してもよい。
【００４７】
図１及び図３に示すように吸収性物品１は、少なくとも吸収コア３０が厚さ方向Ｔに圧搾された圧搾部３５を有してよい。図３に示すように、圧搾部３５では、センターシート１１Ａ、セカンドシート１２、カバーシート５０、サードシート６０、吸収コア３０が圧搾されていてよい。
【００４８】
圧搾部３５は、非存在領域ＮＲと異なる領域に配置されてよい。圧搾部３５は、カバーシート５０が存在する存在領域ＥＲに配置されてよい。また、圧搾部３５は、カバーシート５０の前端縁５０Ｆよりも前側に配置されてよいし、圧搾部３５は、カバーシート５０の後端縁５０Ｒよりも後側に配置されてよい。
【００４９】
（３）非存在領域ＮＲ
次に、非存在領域ＮＲについて説明する。図１，３，４に示すように、吸収性物品１には、吸収性物品１の平面視において、非存在領域ＮＲが設けられている。非存在領域ＮＲは、肌面側部材１０に覆われると共にカバーシート５０が存在しない領域であって、かつ幅方向Ｗにおいてカバーシート５０に挟まれている非存在領域ＮＲが設けられている。図３に示すように、非存在領域ＮＲは、肌面側部材１０によって覆われているため、吸収性物品１を肌面側Ｔ１から見た場合に、非存在領域ＮＲを構成する開口５５が露出していない。本実施形態では、肌面シート１１及びセカンドシート１２が厚さ方向Ｔに積層されることで、肌面側部材１０が構成されている。肌面側部材１０が複数のシートにより構成されている場合、複数のシートのうち厚さ方向Ｔに隣接するシートどうし（例えば、センターシート１１Ａ及びセカンドシート１２）は互いに接合されている。隣接するシートどうしは、非存在領域ＮＲにおいて互いに接合されていることは勿論、非存在領域ＮＲ以外の領域においても互いに接合されている。
【００５０】
図４に示すように、非存在領域ＮＲにおいて、肌面側部材１０の少なくとも一部は、中間部材４０と接合されている。中間部材４０が複数の部材により構成される場合、肌面側部材１０は、非存在領域ＮＲにおいて最も肌面側Ｔ１に配置されている部材と接合される。本実施形態では、肌面側部材１０は、開口５５を通じて、サードシート６０に接合されている。また、肌面側部材１０が複数のシートにより構成される場合には、非存在領域ＮＲにおいて最も非肌面側Ｔ２に配置されているシートが、中間部材４０と接合される。本実施形態では、セカンドシート１２が、開口５５を通じて中間部材４０と接合されている。
【００５１】
非存在領域ＮＲでは、肌面側部材１０の少なくとも一部が、カバーシート５０の最も肌面側Ｔ１に位置する表面５１よりも非肌面側Ｔ２で中間部材４０に接合される。従って、肌面側部材１０と中間部材４０との接合面ＢＤは、カバーシート５０の表面（肌面）５１よりも非肌面側Ｔ２に位置している。接合面ＢＤは、開口５５の肌面側Ｔ１の入り口よりも非肌面側Ｔ２に位置している。なお、本実施形態では、カバーシート５０の最も肌面側Ｔ１に位置する表面５１は、サードシート６０と厚さ方向Ｔに重なっている領域のカバーシート５０の表面である。従って、サードシート６０と厚さ方向Ｔに重なっている領域のカバーシート５０の表面５１は、接合面ＢＤよりも非肌面側Ｔ２に配置されていてもよい。
【００５２】
肌面側部材１０は、例えば、接着剤（例えば、ホットメルト接着剤）により接合されてよいし、少なくとも肌面側部材１０と中間部材４０とを一緒に圧搾することにより接合されてもよい。肌面側部材１０は、非存在領域ＮＲの全ての領域で接合されていてもよいし、非存在領域ＮＲの一部の領域で接合されていてもよい。例えば、肌面側部材１０は、非存在領域ＮＲの外周付近では接合されずに、非存在領域ＮＲの中央付近で接合されていてもよい。
【００５３】
肌面側部材１０が、中間部材４０と接合されているか否かについては、例えば、非存在領域ＮＲの前後方向Ｌ及び／又は幅方向Ｗの中心を通るように吸収性物品１を切断して、（例えば、拡大鏡、顕微鏡、電子顕微鏡などにより）吸収性物品１の切断面を観察することにより判定することができる。また、また、非存在領域ＮＲにおいて肌面側部材１０を実際に剥がすことにより、視覚的又は触覚的に判定することができる。
【００５４】
非存在領域ＮＲにおいて、肌面側部材１０の少なくとも一部は、非肌面側Ｔ２へ凹んでいる。非存在領域ＮＲの前後方向Ｌの中心において、肌面側部材１０は、非肌面側Ｔ２へ凹んでいてもよい。非存在領域ＮＲの幅方向Ｗの中心において、肌面側部材１０は、非肌面側Ｔ２へ凹んでいてもよい。肌面側部材１０の一部（例えば、非存在領域ＮＲの外周付近の肌面側部材１０の一部）は、非肌面側Ｔ２へ凹んでいなくてもよい。肌面側部材１０の全てが、非肌面側Ｔ２へ凹んでいてもよい。
【００５５】
非存在領域ＮＲでは、中間部材４０に接合されるため、非存在領域ＮＲでは、肌面側部材１０が肌面側Ｔ１へ浮き上がらなくなる。加えて、図４Ａ及び図４Ｂに示すように、カバーシート５０の厚みの分だけ、肌面側部材１０が、非肌面側Ｔ２に凹ませることができる。非存在領域ＮＲでは、幅方向Ｗにカバーシート５０に挟まれているため、体液（例えば、経血、又は尿など）が、非存在領域ＮＲよりも幅方向Ｗの外側に移動し難くなり、体液が溜まり易くなる。非存在領域ＮＲに溜まった体液は、肌面側部材１０からサードシート６０に直接移行可能であるため、吸収性能を向上することができる。
【００５６】
特に、カバーシート５０の構成が吸収コア３０の構成とが異なることにより、液移行性を異ならせることができる。カバーシート５０の方が、吸収コア３０よりも液移行性が低い場合には、図４Ａに示すように、非存在領域ＮＲに溜まった体液をカバーシート５０を経由せずに、吸収コア３０へと移行し易くできる。なお、非存在領域ＮＲの周囲の領域からでも、非存在領域ＮＲに溜まった体液が吸収コア３０へ移行できるため、吸収性能を向上することができる。
【００５７】
一方で、カバーシート５０の方が、吸収コア３０よりも液移行性が高い場合には、図４Ｂに示すように、非存在領域ＮＲに溜まった体液は、肌面側部材１０からサードシート６０に直接移行するだけでなく、カバーシート５０を経由して、吸収コア３０へ移行し易くできる。これにより、非存在領域ＮＲよりも広い面積で、体液が吸収コア３０へ移行することができ、吸収性能を向上することができる。
【００５８】
また、非存在領域ＮＲでは、肌面側部材１０が非肌面側Ｔ２へ凹むことによって、肌面側部材１０が使用者の肌に直接当たり難くなるため、冷感剤による冷感効果を和らげることができる。一方で、非存在領域ＮＲとカバーシート５０との境界付近では、カバーシート５０の厚みによって、肌面側部材１０と中間部材４０との間に空間が設けられ易い。図４Ｃに示すように、使用者の動きによって吸収性物品１が変形する際に、空間内の空気が押し出されて、冷感剤が使用者の肌に付着し易くできる。加えて、非存在領域ＮＲでは、肌面側部材１０が非肌面側Ｔ２へ凹むことによって、肌面側部材１０が使用者の肌に直接当たり難くなるため、冷感剤による冷感効果を和らげることができる。一方で、非存在領域ＮＲ以外の領域では、肌面側部材が使用者の肌に直接当たり易くなり、冷感剤による冷感効果を強めることができる。従って、冷感効果を場所によって調節することができる。以上により、吸収性物品１によれば、冷感性能と吸収性能とを両立することができる。
【００５９】
また、図１に示すように、肌面側Ｔ１からの吸収性物品１の平面視において、非存在領域ＮＲの色が、カバーシート５０が存在する存在領域ＥＲの色と異なってよい。これにより、使用者が、冷感効果が強い部分、すなわち、使用者の肌に直接当たり易い部分と、冷感効果が低い部分、すなわち、使用者の肌に直接当たり難い部分と、を視覚的に視認し易くできる。従って、使用者は、例えば、使用者の肌に直接当たり難い部分が、排泄口に対向するように吸収性物品１を着用物品に固定することができる。
【００６０】
非存在領域ＮＲの色が、カバーシート５０が存在する存在領域ＥＲの色と異なるように、例えば、中間部材（例えば、サードシート６０）の色が、カバーシート５０の色と異なってよい。これにより、吸収性物品１の平面視において、開口５５を通じてサードシート６０の色が透けて視認されることで、非存在領域ＮＲの色が、存在領域ＥＲの色と異なってよい。また、カバーシート５０の有無による厚さの差が発生することにより、光透過率が変わることにより、存在領域ＥＲと非存在領域ＮＲとで色が異なって視認されてもよい。色の違いは、色相の違い（例えば、存在領域ＥＲの色が白、非存在領域ＮＲの色が緑、青など）であってもよいし、彩度の違い（例えば、存在領域ＥＲの色が無彩色の白、非存在領域ＮＲの色が彩度が高い青）であってもよいし、明度の値（例えば、存在領域ＥＲの色が白、非存在領域ＮＲの色がグレー）がであってもよい。
【００６１】
非存在領域ＮＲの色と存在領域ＥＲの色とが異なるか否かについての判定方法として、例えば、肌面側Ｔ１から吸収性物品１（図１参照）を肉眼で視認した人が、非存在領域ＮＲの色と存在領域ＥＲの色とが異なると感じた場合に、非存在領域ＮＲの色と存在領域ＥＲの色とが異なると判定できる。例えば、１０人のうち６人以上が非存在領域ＮＲの色と存在領域ＥＲの色とが異なると回答した場合、非存在領域ＮＲの色と存在領域ＥＲの色とが異なると判定できる。
【００６２】
また、図１に示すように、圧搾部３５は、非存在領域ＮＲと異なる領域に配置されてよい。圧搾部３５では剛性が高いため、圧搾部３５を基点として、吸収コア３０が折れ曲がり易くなる。これにより、非存在領域ＮＲ以外の領域で、吸収コア３０が折れ曲がり易くなることで、非存在領域ＮＲにおいて肌面側部材１０が使用者の肌に直接当たり難くなるため、冷感剤による冷感効果を和らげることができる。
【００６３】
図１に示すように、非存在領域ＮＲは、中央域Ｓ３に設けられている。中央域Ｓ３は、一般的に、刺激に敏感な排泄口に対向する部分である。非存在領域ＮＲは、凹んでいるため、肌面側部材１０が排泄口に当たり難くすることができる。加えて、非存在領域ＮＲには、カバーシート５０が存在しないため、カバーシート５０が存在する部分よりも剛性が低い。図１に示すように、非存在領域ＮＲは、楕円形状である場合、非存在領域ＮＲの中心から非存在領域ＮＲの外周までの距離を所定距離以上確保することができる。従って、非存在領域ＮＲが直線状である場合と比べると、使用者の動きによって吸収性物品１が変形しても、肌面側部材１０が肌面側Ｔ１に向かって鋭角な凸形状になり難い。これにより、肌面側部材１０が排泄口にさらに当たり難くすることができ、刺激に敏感な排泄口に冷感剤による刺激を与え難くすることができる。
【００６４】
本実施形態では、冷感剤１００が、肌面シート１１の非肌面側Ｔ２の表面上に前後方向Ｌに連続的に塗布されており、かつ存在領域ＥＲと非存在領域ＮＲとを跨がるように塗布されている。このように冷感剤１００を塗布することで、冷感剤１００を使用者の肌の近くに存在させることができ、使用者が冷感効果を感じ易くなる。加えて、存在領域ＥＲと非存在領域ＮＲとを跨がるように存在しており、排泄口（具体的には、膣口）が対向し易い中央域Ｓ３に、肌面側部材１０が非肌面側Ｔ２へ凹む非存在領域ＮＲが設けられている。従って、刺激に敏感な排泄口への冷感剤１００による刺激を緩和することができると共に、存在領域ＥＲでは、使用者の肌に肌面シート１１が直接接触するため、冷感効果を増幅させることができる。このように冷感剤１００を配置することで、冷感剤１００の冷感強度が弱くても、着用者が冷感効果を感じ易くでき、冷感剤１００の冷感強度が強くても、刺激に敏感な部分でのかゆみを防止することができる。
【００６５】
また、肌面側部材１０は、厚さ方向Ｔに隣接するシートどうしが互いに接合されている複数のシート（肌面シート１１（センターシート１１Ａ）及びセカンドシート１２）により構成されている。これにより、複数のシート内に冷感剤１００を保持可能であるため、肌面側部材１０が単一のシートにより構成される場合と比較して、冷感効果が得られる時間が長くなり易くなる。
【００６６】
（４）変更例
次に、変更例に係る吸収性物品１について、図５から図８を用いて説明する。なお、上述の実施形態と同様の部分は説明を省略する。
【００６７】
（４．１）変更例１
変更例１に係る吸収性物品１について図５を用いて説明する。図５は、変更例１に係る吸収性物品１を肌面側から見た模式平面図である。なお、図５では、カバーシート５０の一部及び吸収コア３０の一部が露出している。
【００６８】
吸収性物品１は、セカンドシート１２及びサードシート６０を有さなくてよい。従って、肌面側部材１０は、肌面シート１１のみにより構成されてよい。肌面側部材１０、すなわち、肌面シート１１は、吸収コア３０と接合されてよい。
【００６９】
図５に示すように、非存在領域ＮＲは、中央域Ｓ３よりも前後方向Ｌの外側に設けられてよい。従って、非存在領域ＮＲは、前側域Ｓ１に設けられてよく、後側域Ｓ２に設けられてよい。従って、カバーシート５０は、前側域Ｓ１に配置されてよいし、後側域Ｓ２に配置されてよい。
【００７０】
非存在領域ＮＲは、外側領域ＮＲＯと内側領域ＮＲＩとを有してよい。外側領域ＮＲＯは、非存在領域ＮＲの前後方向Ｌの中心ＣＲよりも外側に位置する。内側領域ＮＲＩは、非存在領域ＮＲの中心ＣＲよりも内側に位置する。図５に示すように、外側領域ＮＲＯの面積は、内側領域ＮＲＩの面積よりも広くてよい。これにより、非存在領域ＮＲにおいて、前後方向Ｌの外側の方では、前後方向Ｌの内側と比較して、肌面側部材１０が非肌面側Ｔ２へ凹んでいる面積を大きくすることができる。これにより、寝姿勢時（具体的には、仰臥位の腹側（又は背臥位の背側））において、お腹（又は背中）に近くなるほど、非存在領域ＮＲの肌面側部材１０が使用者の肌に直接当たり難くすることができ、長時間同じ姿勢になりがちな寝姿勢の際に、冷感剤１００による冷感効果を緩和することができる。
【００７１】
（４．２）変更例２
変更例２に係る吸収性物品１について図６から図８を用いて説明する。図６は、吸収性物品の包装体の模式平面図である。図６は、吸収性物品１が包装シート２００に包装されている包装状態を示す。図７は、変更例２に係る吸収性物品１を肌面側から見た模式平面図である。図７は、吸収性物品１が展開された展開状態を示す。図８は、図７のＢ−Ｂ断面に沿った模式断面図である。図７及び図８では、一対のウイング３が、本体部の肌面側Ｔ１に折り返されている状態を示す。なお、図８では、説明の便宜上、吸収性物品１を構成する各部材の図示を適宜省略している。また、図８では、包装シート２００の図示を省略している。
【００７２】
吸収性物品１の包装体３００は、吸収性物品１と、吸収性物品１を個別に包装する包装シート２００と、を有する。吸収性物品１は、上述した吸収性物品１と同様の構成を有する。包装シート２００は、フィルムであってよい。例えば、包装シート２００は、気密性を有するフィルムであってよく、例えば、ＥＶＯＨ（Ｅｔｈｙｌｅｎｅ  Ｖｉｎｙｌ  Ａｌｃｏｈｏｌ）、又はＰＥＴ（Ｐｏｌｙｅｔｈｙｌｅｎｅ  Ｔｅｒｅｐｈｔｈａｌａｔｅ）などにより構成されてよい。また、包装シート２００は、冷感剤が透過することを抑制するガスバリア層を有してよい。ガスバリア層は、例えば、ＥＶＯＨ、又はＰＥＴなどにより構成されてよい。
【００７３】
図６に示すように、吸収性物品１が包装シート２００に包装されている包装状態において、吸収性物品１と包装シート２００とは、幅方向Ｗに延びる折り目ＦＬを基点に折り返されている。実施形態では、吸収性物品１と包装シート２００とは、第１折り目ＦＬ１と、第１折り目ＦＬ１よりも後側に設けられている第２折り目ＦＬ２とを基点に折り返されている。吸収性物品１及び包装シート２００を展開する際には、吸収性物品１及び包装シート２００が、第１折り目ＦＬ１を基点に展開されて、次に、第２折り目ＦＬ２を基点に展開されてよい。
【００７４】
図６及び図７に示すように、包装シート２００の両側端部には、包装シート２００どうしを接合する第１接合部２１０が設けられてよい。第１接合部２１０は、接着剤により構成されてよいし、包装シート２００どうしを圧搾することにより構成されてもよい。第１接合部２１０は、包装状態において、包装体３００の前後方向Ｌの一方の端部から他方の端部まで、包装シート２００どうしを接合する複数の接合部が前後方向Ｌに並ぶことにより構成されてよい。密閉性を高めるために、複数の接合部の配置間隔は、２ｍｍ以下であることが好ましい。なお、包装シート２００の側端部は、包装状態において、少なくとも吸収性物品１よりも幅方向Ｗにおいて外側の部分である。
【００７５】
また、包装状態において、包装体３００には、包装シート２００を開封するための幅方向Ｗに延びる開封部２５０が設けられてよい。開封部２５０は、展開状態における包装シート２００の前後方向Ｌの端部（実施形態では前端部）、及び包装状態において当該端部と当接する包装シート２００の一部とにより構成される。
【００７６】
開封部２５０には、包装シート２００どうしを接合する第２接合部２２０が設けられてよい。第２接合部２２０は、接着剤により構成されてよいし、包装シート２００どうしを融着することにより構成されてよい。第２接合部２２０は、開封部２５０を閉じるためのテープ部材により構成されてよい。第２接合部２２０は、密閉性を高めるために、包装体３００の幅方向Ｗの一方の側端部から他方の側端部まで連続的に延びていることが好ましい。
【００７７】
以上により、包装状態において吸収性物品１が収容されている空間が密閉され易くなるため、吸収性物品１が開封される前に、冷感剤が包装シート２００の外部へ漏れ難くすることができる。
【００７８】
また、図７に示すように、展開状態において、非存在領域ＮＲは、折り目ＦＬと異なる位置に設けられてよい。吸収性物品１の平面視において、非存在領域ＮＲは、前後方向Ｌにおいて、第１折り目ＦＬ１と第２折り目ＦＬ２との間に配置されてよい。非存在領域ＮＲが折り目ＦＬと同じ位置に設けられている場合、折り目ＦＬに起因して非存在領域ＮＲにおける肌面側部材１０に皺が形成される。これにより、中間部材４０から肌面側部材１０が剥がれ易くなる。そこで、非存在領域ＮＲが、折り目ＦＬと異なる位置に設けられることで、肌面側部材１０が剥がれることを抑制でき、非存在領域ＮＲでは、肌面側部材１０が非肌面側Ｔ２へ凹むことを維持することができる。
【００７９】
図７及び図８に示すように、吸収性物品１には、ウイング粘着部７２を覆う剥離シート７６が設けられてよい。剥離シート７６は、一対のウイング３の間を覆ってよい。これにより、剥離シート７６によって、使用前に、冷感剤１００が一対のウイング３の間を通じて外部へ逃げ難くすることができる。剥離シート７６は、例えば、シリコンにより構成されるシリコン層を有してよい。剥離シート７６は、上述のガスバリア層を有してもよい。
【００８０】
また、一対のウイング３が本体部の肌面側Ｔ１に折り返されているウイング折り返し状態において、ウイング３は、非存在領域ＮＲと接触していない部分を有してよい。図８に示すように、ウイング３は、非存在領域ＮＲと接触していなくてよい。ウイング３は、ウイング粘着部７２を介して剥離シート７６に接合されることにより、ウイング３が非肌面側Ｔ２へ移動し難くなっていてもよい。ウイング３は、吸収性物品１が使用される際に、着用物品の非肌面側Ｔ２へ折り返されるため、ウイング３に冷感剤が存在しても、使用者は冷感効果を得にくい。従って、ウイング３が、非存在領域ＮＲと接触していない部分を有することで、肌面シート１１に存在する冷感剤がウイング３に直接移動し難くすることができる。これにより、使用者が冷感効果を感じ易い肌面シート１１に冷感剤を存在し易くできる。
【００８１】
（変更例３）
変更例３に係る吸収性物品１について図９を用いて説明する。図９は、変更例３に係る吸収性物品１の模式断面図の一部拡大図である。なお、図９は、図３と同様の位置における模式断面図である。
【００８２】
図９に示すように、変更例３に係る吸収性物品１では、肌面側部材１０が、肌面シート１１（具体的には、センターシート１１Ａ）により構成されており、中間部材４０が吸収コア３０により構成されている。
【００８３】
吸収性物品１は、非存在領域ＮＲにおいて、少なくとも肌面側部材１０と中間部材４０とが厚さ方向Ｔに肌面側Ｔ１から圧搾された圧搾部３５を有してよい。変更例３では、センターシート１１Ａと吸収コア３０とが圧搾されている。圧搾部３５によって肌面側部材１０と中間部材４０とが接合されている。肌面側部材１０と中間部材４０とは、圧搾部３５に加えて、接着剤などの接合部材により接合されていてもよい。
【００８４】
変更例３に係る吸収性物品１では、肌面側部材１０と中間部材４０とが肌面側Ｔ１から圧搾されているため、圧搾部３５では、他の部分よりも、肌面側部材１０が非肌面側へ凹み易くでき、非存在領域ＮＲにおいて体液をさらに溜まり易くすることができる。加えて、圧搾部３５は、他の部分と比べて剛性が高いため、吸収性物品を着用している使用者が動いたとしても変形し難くなり、肌面側部材１０が非肌面側Ｔ２への凹みを維持し続け易くできる。
【００８５】
（５）その他実施形態
上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【００８６】
上述では、肌面側部材１０が、肌面シート１１のみにより構成されるケース（変更例１、変更例３）、及び肌面シート１１とセカンドシート１２とにより構成されるケース（実施形態）を説明したが、これに限られない。肌面側部材１０は、３つ以上のシートにより構成されてよい。
【００８７】
また、上述では、肌面側部材１０が、サードシート６０に接合されるケース（実施形態）、及び吸収コア３０に接合されるケース（変更例１、変更例３）を説明したが、これに限られない。肌面側部材１０は、例えば、吸収コア３０を覆うコアラップと接合されてよい。なお、コアラップは、例えばティッシュや不織布によって構成されていてよい。
【００８８】
また、変更例３では、センターシート１１Ａと吸収コア３０とが圧搾されるケースを例に挙げていたが、これに限られない。例えば、非存在領域ＮＲにおいて、肌面側部材１０とサードシート６０とが肌面側Ｔ１から圧搾されるが、非存在領域ＮＲでは、吸収コア３０が圧搾されていなくてもよい。これにより、非存在領域ＮＲにおいて、圧搾部３５を基点として吸収コア３０が折れ曲がり易くなることを抑制できる。その結果、非存在領域ＮＲにおいて肌面側部材１０が使用者の肌に直接当たり難くなるため、冷感剤による冷感効果を和らげることができる。
【００８９】
また、上述では、非存在領域ＮＲを規定するシートをカバーシート５０と称していたが、これに限られない。例えば、カバーシート５０は、肌面側Ｔ１から２番目に配置されているシート（いわゆるセカンドシート）と称されてもよいし、肌面側Ｔ１から３番目に配置されているシート（いわゆるサードシート）と称されてもよい。また、カバーシート５０は、複数のシートにより構成されていてもよい。例えば、カバーシート５０は、開口５５を有するセカンドシート及びサードシートにより構成されてよい。
【００９０】
冷感剤１００は、肌面シート１１、セカンドシート１２以外の部材に配置されてよい。例えば、冷感剤１００は、カバーシート５０の肌面及び／又は非肌面、サードシート６０の肌面及び／又は非肌面、サイドシート１１Ｂの肌面及び／又は非肌面、コアラップの肌面及び／又は非肌面、吸収コア３０の肌面及び／又は非肌面、及び、その他のシートの肌面及び／又は非肌面、の少なくともいずれかに塗布されていてよい。
【００９１】
上述の実施形態、各変更例に係る構成は、適宜組み合わせることが可能であることに留意すべきである。
【符号の説明】
【００９２】
１      ：吸収性物品
２      ：本体部
３      ：ウイング
１０    ：肌面側部材
１１    ：肌面シート
１１Ａ  ：センターシート
１１Ｂ  ：サイドシート
１２    ：セカンドシート
２０    ：バックシート
３０    ：吸収コア
３５    ：圧搾部
５０    ：カバーシート
５５    ：開口
６０    ：サードシート
７０    ：粘着部
１００  ：冷感剤
２００  ：包装シート
３００  ：包装体
ＥＲ    ：存在領域
ＮＲ    ：非存在領域
Ｓ１    ：前側域
Ｓ２    ：後側域
Ｓ３    ：中央域
Ｌ      ：長手方向
Ｗ      ：幅方向
Ｔ      ：厚さ方向
Ｔ１    ：肌面側
Ｔ２    ：非肌面側
【図１】
0003223352.tif 000003
【図２】
0003223352.tif 000004
【図３】
0003223352.tif 000005
【図４】
0003223352.tif 000006
【図５】
0003223352.tif 000007
【図６】
0003223352.tif 000008
【図７】
0003223352.tif 000009
【図８】
0003223352.tif 000010
【図９】
0003223352.tif 000011